【事件の表示】
　特許第５９１４４５３号発明「ディスプレイ用ガラス基板およびその製造方法」の特許異議申立事件について、次のとおり決定する。
【結　論】
　特許第５９１４４５３号の特許請求の範囲を、訂正請求書に添付された訂正特許請求の範囲のとおり、訂正後の請求項〔１〜１２〕について訂正することを認める。
　特許第５９１４４５３号の請求項１〜１２に係る特許を維持する。
【理　由】
１．手続の経緯
　特許第５９１４４５３号の請求項１〜１２に係る特許についての出願は、２０１３年１２月２５日（優先権主張２０１２年１２月２８日、日本国　２０１２年１２月２８日、日本国　２０１２年１２月２８日、日本国）に特許出願され、平成２８年４月８日にその特許権の設定登録がされたものであって、登録後の経緯は以下のとおりである。
平成２８年１１月　４日　　：特許異議申立人　籾井　孝文による特許異議の申立て
平成２９年　１月２５日付け：取消理由の通知
　　　同年　３月２４日付け：訂正の請求、意見書の提出
　なお、特許権者による訂正の請求及び意見書に対して、特許異議申立人に意見を求めたが、期間内に応答はなかった。
２．訂正の適否についての判断
（１）訂正の内容
　平成２９年３月２４日付け訂正請求（以下、「本件訂正請求」という。）による、一群の請求項１〜１２に係る訂正の内容は以下ア、イのとおりである。
ア　訂正事項１
　特許請求の範囲の請求項１において、「モル％表示で、・・・Ｒ２Ｏ　０．０１〜０．８％」と記載されているのを、「モル％表示で、・・・Ｒ２Ｏ　
０．１％超、０．８％以下
イ　訂正事項２
　特許請求の範囲の請求項２において、「モル％表示で、・・・Ｒ２Ｏ　０．０１〜０．８％」と記載されているのを、「モル％表示で、・・・Ｒ２Ｏ　
０．１％超、０．８％以下
（２）訂正の目的の適否、新規事項の有無、特許請求の範囲の拡張・変更の存否、及び一群の請求項
ア　訂正の目的について
　訂正事項１、２はそれぞれ、訂正前の請求項１、２の発明特定事項である、モル％表示でのＲ２Ｏの含有量を更に限定するものであるから、特許法第１２０条の５第２項ただし書き第１号に規定する特許請求の範囲の減縮を目的とするものである。
イ　新規事項の有無について
　本件明細書【０１００】には、Ｒ２Ｏの含有量について、「０〜０．８ｍｏｌ％であり、・・・一層好ましくは０．１〜０．４ｍｏｌ％」と記載されている。
　そして、本件明細書【０１３１】〜【０１４９】に記載された実施例には、Ｒ２Ｏを０．１ｍｏｌ％超としたガラス組成も開示されている。
　してみれば、Ｒ２Ｏの含有量について、端点である０．１ｍｏｌ％を除き、「モル％表示で、・・・Ｒ２Ｏ　０．１％超、０．８％以下」としても、新たな技術的事項を導入するものではない。
　したがって、訂正事項１、２は、特許法第１２０条の５第９項において準用する同法第１２６条第５項の規定に適合する。
ウ　特許請求の範囲の拡張・変更の存否について
　訂正事項１、２は、上記「ア」のとおり、モル％表示でのＲ２Ｏの含有量を更に限定することにより、特許請求の範囲を減縮しようとするものであるから、実質上特許請求の範囲を拡張し、又は変更するものではない。
　したがって、訂正事項１、２は、特許法第１２０条の５第９項において準用する同法第１２６条第６項の規定に適合する。
エ　一群の請求項について
　訂正事項１に係る訂正前の請求項１を訂正前の請求項３〜１２が引用しており、訂正事項２に係る訂正前の請求項２を訂正前の請求項３〜１２が引用していたから、訂正前の請求項１〜１２は、特許法１２０条の５第４項に規定する一群の請求項であり、本件訂正請求は、当該一群の請求項ごとに請求をしたものと認められる。
（３）訂正の適否についてのむすび
　以上のとおり、本件訂正請求による訂正は、特許法第１２０条の５第２項ただし書き第１号に掲げる事項を目的とするものであり、かつ、同条第４項、及び同条第９項において準用する同法第１２６条第５項、第６項の規定に適合するので、訂正後の請求項〔１〜１２〕について訂正を認める。
３．特許異議の申立てについて
（１）本件特許発明
　上記のとおり訂正が認められるので、本件訂正請求により訂正された訂正請求項１〜１２に係る発明（以下「本件特許発明１〜１２」という。）は、訂正特許請求の範囲の請求項１〜１２に記載されたとおりのものと認める。
（２）取消理由の概要
　訂正前の請求項１〜１２に係る特許に対して、平成２９年１月２５日付けで特許権者に通知した取消理由の要旨は、次のとおりである。
理由１．請求項１〜５、７〜１２に係る発明は、甲第１号証に記載された発明であって、特許法第２９条第１項第３号に該当し、特許を受けることができないから、その発明に係る特許は取り消すべきものである。
理由２．請求項１〜５、７〜１２に係る発明は、甲第１号証に記載された発明及び甲第２〜４号証に記載された技術事項に基いて、当業者が容易に発明をすることができたものであって、特許法第２９条第２項の規定により特許を受けることができないから、その発明に係る特許は取り消すべきものである。
甲第１号証：特表２００９−５２５９４２号公報
甲第２号証：特表２０１１−５２２７６７号公報
甲第３号証：特開２００６−２１３５９５号公報
甲第４号証：ＷＯ２００９／０５４３１４の再公表公報
（３）当審の判断
　訂正により、独立請求項である請求項１、２に係る発明である本件特許発明１、２は、いずれも、モル％表示で、Ｒ２Ｏを０．１％超、０．８％以下含有するガラスから形成されるものに限定された。
　一方、甲第１号証に記載の発明は、その請求項１に記載のとおり、「アルカリを含まないガラス」に関するものであり、【００４７】には、「本明細書で用いる『アルカリを含まないガラス』は、０．１モルパーセント以下の合計アルカリ濃度を有するガラスである。」と記載されている。
　したがって、本件特許発明１、２、及びこれらのいずれかを引用する本件特許発明３〜１２は、甲第１号証に記載の発明ではない。
　また、甲第２〜４号証に記載された技術事項を考慮しても、上記「アルカリを含まないガラス」に関する甲１号証に記載の発明において、アルカリ濃度（Ｒ２Ｏ）を０．１モル％超とすることが、当業者が容易になし得ることであるとはいえない。
　したがって、本件特許発明１、２、及びこれらのいずれかを引用する本件特許発明３〜１２は、甲第１号証に記載された発明及び甲第２〜４号証に記載された技術事項に基いて、当業者が容易に発明をすることができたものではない。
４．むすび
　以上のとおりであるから、取消理由通知に記載した取消理由によっては、本件請求項１〜１２に係る特許を取り消すことはできない。
　また、他に本件請求項１〜１２に係る特許を取り消すべき理由を発見しない。
　よって、結論のとおり決定する。
【異議決定日】
平成２９年５月３０日（２０１７．５．３０）
【訂正の要旨】
審決（決定）の【理由】欄参照。
（５７）【特許請求の範囲】
　【請求項１】
　モル％表示で、
　ＳｉＯ２　６０〜８０％、
　Ａｌ２Ｏ３　８〜２０％、
　Ｂ２Ｏ３　０〜８％、
　ＭｇＯ　２．１〜１５％、
　Ｒ２Ｏ　
０．１％超、０．８％以下
　ＢａＯ／ＲＯが０．０５〜１であり、
　Ｙ２Ｏ３およびＬａ２Ｏ３を実質的に含有せず、
　歪点が６７０℃以上である、ガラスから形成されるディスプレイ用ガラス基板。ここで、ＲＯは（ＭｇＯ＋ＣａＯ＋ＳｒＯ＋ＢａＯ）を表しており、Ｒ２Ｏは（Ｌｉ２Ｏ＋Ｎａ２Ｏ＋Ｋ２Ｏ）を表している。
　【請求項２】
　モル％表示で、
　ＳｉＯ２　６０〜８０％、
　Ａｌ２Ｏ３　８〜２０％、
　Ｂ２Ｏ３　０〜８％、
　ＭｇＯ　２．１〜１５％、
　Ｒ２Ｏ　
０．１％超、０．８％以下
（ＳｉＯ２＋（２×Ａｌ２Ｏ３））／（（２×Ｂ２Ｏ３）＋ＲＯ＋（１０×Ｒ２Ｏ））が２．５以上であり、
　ＢａＯ／ＲＯが０．０５〜１であり、
　Ｙ２Ｏ３およびＬａ２Ｏ３を実質的に含有せず、
　歪点が６７０℃以上である、ガラスから形成されるディスプレイ用ガラス基板。ここで、ＲＯは（ＭｇＯ＋ＣａＯ＋ＳｒＯ＋ＢａＯ）を表しており、Ｒ２Ｏは（Ｌｉ２Ｏ＋Ｎａ２Ｏ＋Ｋ２Ｏ）を表している。
　【請求項３】
　モル％表示で、
　ＣａＯ　０〜２０％、
　ＳｒＯ　０〜１５％、
　ＢａＯ　０．１〜１５％、を含有する、請求項１又は２記載のガラス基板。
　【請求項４】
　モル％表示で、ＳｉＯ２−（１／２×Ａｌ２Ｏ３）が６５％未満である、請求項１〜３のいずれか１項に記載のガラス基板。
　【請求項５】
　モル％表示で、Ｂ２Ｏ３＋ＲＯ＋ＺｎＯが１５〜２５％である、請求項１〜４のいずれか１に記載のガラス基板。
　【請求項６】
　ＳｎＯ２とＦｅ２Ｏ３とを含有し、
　モル％表示で、
　ＳｎＯ２　０．０３〜０．１５％であり、
　ＳｎＯ２とＦｅ２Ｏ３との合量は０．０５〜０．２％である、請求項１〜５のいずれか１項に記載のガラス基板。
　【請求項７】
　モル％表示で、
　ＳｉＯ２　６６〜７２％、
　Ａｌ２Ｏ３　１１〜１５％、
　Ｂ２Ｏ３　０〜８％、
　ＭｇＯ　２．１〜６％、
　ＣａＯ　２〜１１％、
　ＳｒＯ　０〜１％、
　ＢａＯ　１〜１０％、を含有する、請求項１〜６のいずれか１項に記載のガラス基板。
　【請求項８】
　Ａｓ２Ｏ３を実質的に含有しない、請求項１〜７のいずれか１項に記載のガラス基板。
　【請求項９】
　モル比（（ＳｉＯ２＋（２×Ａｌ２Ｏ３））／（（２×Ｂ２Ｏ３）＋ＲＯ＋（１０×Ｒ２Ｏ））は、２．５〜５．０である、請求項１〜８のいずれか１項に記載のガラス基板。
　【請求項１０】
　モル％表示でＲＯを１０〜１８％含有する、請求項１〜９のいずれか１項に記載のガラス基板。
　【請求項１１】
　ＣａＯを含有し、モル比ＣａＯ／ＲＯは、０．５２以下である、請求項１〜１０のいずれか１項に記載のガラス基板。
　【請求項１２】
　所定の組成に調合したガラス原料を少なくとも直接通電加熱を用いて熔解する熔解工程と、
　前記熔解工程にて熔解した熔融ガラスを平板状ガラスに成形する成形工程と、
　前記平板状ガラスを徐冷する工程であって、前記平板状ガラスの熱収縮率を低減するように前記平板状ガラスの冷却条件を制御する徐冷工程と、を含む請求項１〜１１のいずれか１項に記載のガラス基板を製造するディスプレイ用ガラス基板の製造方法。